(57)【要約】【課題】スムーズな移動を可能とする間仕切パネルを提供する。【解決手段】下端部１４に、床４上を走行自在とされた転動輪４９を有したキャスター部４０を設け、上端部１２に、天井２側に設置された下向きに開口する上レール５０にガイドされる上ガイド部２０を設けた間仕切パネル１であって、当該間仕切パネルの移動を伴い前記上レールに沿って移動する前記上ガイド部の移動方向と、前記キャスター部の転動輪の走行方向とが同方向となるように前記上ガイド部に連動させて前記キャスター部の転動輪の走行方向を規制する連動機構２２，３５を設けた。【選択図】図１
2013002259.tif 000002
【特許請求の範囲】
【請求項１】
下端部に、床上を走行自在とされた転動輪を有したキャスター部を設け、上端部に、天井側に設置された下向きに開口する上レールにガイドされる上ガイド部を設けた間仕切パネルであって、
当該間仕切パネルの移動を伴い前記上レールに沿って移動する前記上ガイド部の移動方向と、前記キャスター部の転動輪の走行方向とが同方向となるように前記上ガイド部に連動させて前記キャスター部の転動輪の走行方向を規制する連動機構を設けたことを特徴とする間仕切パネル。
【請求項２】
請求項１において、
前記連動機構は、当該間仕切パネルに対して垂線廻りに回動自在とされた前記上ガイド部の垂直軸に固定的に連結されるとともに前記上レールに沿って移動する際に該上レールの両側壁部に規制されて該上ガイド部の垂直軸の回動を規制する規制部と、
前記キャスター部の転動輪を支持する支持部を当該間仕切パネルに対して垂線廻りに回動自在とするとともに前記上ガイド部の垂直軸と同軸状に設けられた垂直軸と前記上ガイド部の垂直軸とを連結する上下に長尺の連結部材と、
を備えた構造とされていることを特徴とする間仕切パネル。
【請求項３】
請求項２において、
前記キャスター部の転動輪を水平線廻りに回動自在とする水平軸の軸心と、当該キャスター部の垂直軸の軸心とは、垂線方向で略一致するように設けられていることを特徴とする間仕切パネル。
【請求項４】
請求項２または３において、
前記規制部は、前記上レールの両側壁部にそれぞれ対面するように配置される両側面部を有したブロック状体とされる一方、
前記上ガイド部は、前記垂直軸方向に沿って前記規制部に隣接して設けられるとともに前記垂直軸廻りに回動自在とされ、かつ前記上レールの側壁部に当接されるローラーを更に備えていることを特徴とする間仕切パネル。
【請求項５】
請求項２乃至４のいずれか１項において、
前記連動機構は、前記連結部材の上下の途中位置において当該間仕切パネルの表面側に露出するように設けられ、前記上ガイド部及び前記キャスター部の両垂直軸を軸廻りに回転させる操作部を更に備えていることを特徴とする間仕切パネル。
【請求項６】
請求項１乃至５のいずれか１項において、
前記キャスター部、前記上ガイド部及び前記連動機構は、当該間仕切パネルの幅方向両側端部のそれぞれに設けられていることを特徴とする間仕切パネル。
【発明の詳細な説明】
【技術分野】
【０００１】
本発明は、住居等の建物に設置される間仕切パネルに関する。
【背景技術】
【０００２】
従来より、天井側に配設された上レールに沿って移動自在とされ、室内空間を間仕切る間仕切パネルが知られている。このような間仕切パネルとしては、上レールに走行自在に係合するランナー部材を間仕切パネルの上端部に設けた上吊り構造とされたものがあった。このような上吊り構造の間仕切パネルでは、パネルの荷重が上レールに掛かるため、上レールを強固に天井側に固定する必要があり、天井側に上レールの取付下地や補強下地を設ける必要があった。また、下端部に戸車を設け、床側に敷設された戸車レールに沿って移動自在とされた間仕切パネルもあるが、このようなものでは、床側に戸車レールが必要となり、また、パネル幅方向に直交する方向への方向転換が困難となる場合もあった。
【０００３】
そこで、下端部に床上を走行自在とされたキャスターを設け、上端部に天井側に設置された上レールにガイドされるガイドを設けた移動式間仕切パネルが提案されている（例えば、下記特許文献１参照）。このような間仕切パネルでは、下荷重型でありながらも戸車レールを要しないものではある。
【先行技術文献】
【特許文献】
【０００４】
【特許文献１】特開２００８−２９７８３０号公報
【発明の概要】
【発明が解決しようとする課題】
【０００５】
しかしながら、上記特許文献１に記載されたような間仕切パネルでは、方向転換を可能とするために下端のキャスターがパネルに対して垂直軸廻りに回転自在とされている。そのため、パネルを移動させる際に下端側が厚さ方向に振れる下振れ等が生じたり、また、パネルを移動させながら方向転換させる際にキャスターの走行方向の転換がうまく追従しなかったりする場合があり、パネルの移動がスムーズになされないことが考えられる。
【０００６】
本発明は、上記実情に鑑みてなされたものであり、スムーズな移動を可能とする間仕切パネルを提供することを目的としている。
【課題を解決するための手段】
【０００７】
上記目的を達成するために、本発明に係る間仕切パネルは、下端部に、床上を走行自在とされた転動輪を有したキャスター部を設け、上端部に、天井側に設置された下向きに開口する上レールにガイドされる上ガイド部を設けた間仕切パネルであって、当該間仕切パネルの移動を伴い前記上レールに沿って移動する前記上ガイド部の移動方向と、前記キャスター部の転動輪の走行方向とが同方向となるように前記上ガイド部に連動させて前記キャスター部の転動輪の走行方向を規制する連動機構を設けたことを特徴とする。
【０００８】
本発明においては、前記連動機構を、当該間仕切パネルに対して垂線廻りに回動自在とされた前記上ガイド部の垂直軸に固定的に連結されるとともに前記上レールに沿って移動する際に該上レールの両側壁部に規制されて該上ガイド部の垂直軸の回動を規制する規制部と、前記キャスター部の転動輪を支持する支持部を当該間仕切パネルに対して垂線廻りに回動自在とするとともに前記上ガイド部の垂直軸と同軸状に設けられた垂直軸と前記上ガイド部の垂直軸とを連結する上下に長尺の連結部材と、を備えた構造としてもよい。
また、本発明においては、前記キャスター部の転動輪を水平線廻りに回動自在とする水平軸の軸心と、当該キャスター部の垂直軸の軸心とを、垂線方向で略一致するように設けてもよい。
また、本発明においては、前記規制部を、前記上レールの両側壁部にそれぞれ対面するように配置される両側面部を有したブロック状体とする一方、前記上ガイド部を、前記垂直軸方向に沿って前記規制部に隣接して設けられるとともに前記垂直軸廻りに回動自在とされ、かつ前記上レールの側壁部に当接されるローラーを更に備えたものとしてもよい。
また、本発明においては、前記連動機構を、前記連結部材の上下の途中位置において当該間仕切パネルの表面側に露出するように設けられ、前記上ガイド部及び前記キャスター部の両垂直軸を軸廻りに回転させる操作部を更に備えたものとしてもよい。
また、本発明においては、前記キャスター部、前記上ガイド部及び前記連動機構を、当該間仕切パネルの幅方向両側端部のそれぞれに設けてもよい。
【発明の効果】
【０００９】
本発明に係る間仕切パネルは、上述のような構成としたことで、スムーズな移動が可能となる。
【図面の簡単な説明】
【００１０】
【図１】（ａ）、（ｂ）は、いずれも本発明の一実施形態に係る間仕切パネルを模式的に示し、（ａ）は、概略斜視図、（ｂ）は、同間仕切パネルの一部を省略した一部破断概略拡大正面図である。
【図２】（ａ）、（ｂ）は、いずれも同間仕切パネルを設置した状態の一例を模式的に示す概略斜視図である。
【図３】（ａ）は、同間仕切パネルの一部破断部分拡大斜視図、（ｂ）は、（ａ）に対応させた一部省略斜視図、（ｃ）は、同間仕切パネルが備える上ガイド部の一部省略概略分解斜視図である。
【図４】（ａ）〜（ｃ）は、いずれも同間仕切パネルの一部を省略した一部破断概略側面図である。
【図５】同間仕切パネルの一部を省略した一部破断概略斜視図及び部分拡大斜視図である。
【図６】図５に対応させて同間仕切パネルの別状態を示す一部を省略した一部破断概略斜視図及び部分拡大斜視図である。
【図７】図５に対応させて同間仕切パネルの別状態を示す一部を省略した一部破断概略斜視図及び部分拡大斜視図である。
【図８】同間仕切パネルの方向転換を行う際の操作例を模式的に示す一部を省略した一部破断概略斜視図及び部分拡大斜視図である。
【発明を実施するための形態】
【００１１】
以下に本発明の実施の形態について、図面に基づいて説明する。
なお、一部の図では、他図に付している詳細な符号の一部を省略している。
また、以下の実施形態では、間仕切パネルが設置された状態を基準として、上下方向等の方向を原則的に説明する。
【００１２】
図１〜図８は、本実施形態に係る間仕切パネルの一例について説明するための概念的な説明図である。
本実施形態に係る間仕切パネル１は、図２に示すように、建物の室内空間の天井２側に設置される複数本の上レール５０（図８参照）を備えた上レールユニット８とによって、間仕切装置９を構成している。この間仕切装置９は、図２に示すように、上レールユニット８と、複数枚の間仕切パネル１と、室内空間を区画する一方の壁体（図示左側の壁体）３側に配設される端部間仕切パネル１Ａとを備えている。
間仕切パネル１は、図１に示すように、上端部１２に、天井２側に設置された上レール５０にガイドされる上ガイド部２０を設け、下端部１４に、床４上を走行自在とされたキャスター部４０を設けた下荷重構造とされている。なお、本実施形態に係る間仕切パネル１の具体的構成については後述する。
【００１３】
上レールユニット８は、図２及び図８に示すように、上レール５０を備えるとともに、天井２に沿わせるようにして固定されるレール部材５を備えている。図８においては図示を省略しているが、レール部材５は、二本の上レール５０，５０を並列配置させて支持する構造とされている。また、上レールユニット８は、図２に示すように、二本のレール部材５同士を、コーナーを形成するように接続するコーナー部材６と、四本のレール部材５同士を、交差部を形成するように接続する交差部材７（図８も参照）とを備えている。これらレール部材５、コーナー部材６及び交差部材７は、金属系材料や硬質の合成樹脂系材料から形成されたものとしてもよい。また、これらレール部材５、コーナー部材６及び交差部材７の天井２側への固定は、下方側からねじ等の固定止具によって固定する態様としてもよい。上記したように、間仕切パネル１は、下荷重型であるので、上レール５０には然程の荷重が掛からないため、天井仕上げ材や下地パネル材等に対して固定するようにしてもよく、または、適宜の下地桟や補強桟等に対して固定するようにしてもよい。
【００１４】
レール部材５は、細長プレート状とされ、天井２に固定される固定プレートの下面に、二本の上レール５０，５０を平行に固着させた構造とされている（図２参照）。上レール５０，５０の固定プレートへの固着態様としては、ねじ等の固定止具によって締結し、固着させるようにしてもよく、溶接や接着等によって固着させるようにしてもよい。または、これらを一体的に形成したものとしてもよい。
上レール５０は、図４に示すように、下向きに開口した縦断面略コ字状（Ｕ字状乃至はＣ字状）の形状とされ、天井２と略平行に配設される天壁部５１と、この天壁部５１の幅方向両縁から下方側に向けて垂れ下がるように設けられた両側壁部５２，５２とを備えている。また、上レール５０は、これら両側壁部５２，５２の下端縁から互いに向き合う方向に突出する下案内片５３，５３を備えている。
【００１５】
コーナー部材６は、図例では、二本のレール部材５，５を略直角に接続する態様とされ、これら二本のレール部材５，５側及び下方側に向けて開口する形状とされている。なお、コーナー部材６の上板部の下面に、それぞれのレール部材５，５が備える二列の上レール５０，５０のそれぞれのコーナー部を形成するように湾曲ガイドを下方に向けて突出させるように設けるようにしてもよい。または、図例のように単一のコーナー部材６によってコーナー部を形成する態様に代えて、それぞれのレール部材５，５が備える二列の上レール５０，５０のそれぞれのコーナー部をそれぞれに形成する一対のコーナー部材からなるものとしてもよい。また、コーナー部材６としては、二本のレール部材５，５を略直角に接続する態様に限られず、これらのなす角が鋭角または鈍角となるように接続する態様としてもよい。
【００１６】
交差部材７は、図例では、四本のレール部材５，５，５，５を略直交させるように接続する態様とされている。この交差部材７は、平面視略正方形状で、下方側に向けて開口する形状とされるとともに、四周側部のそれぞれに各レール部材５側に向けて開口する開口を設けた形状とされている（図８も参照）。なお、交差部材７の上板部の下面の略中心部に、下方に向けて突出させるようにピン状のガイド突起を設けるようにしてもよい。また、交差部材７としては、四本のレール部材５を略直交させるように接続する態様に限られず、これらを交差させて接続する態様であればよい。
図２（ａ）、（ｂ）では、これらレール部材５、コーナー部材６及び交差部材７を組み合わせた上レールユニット８を天井２に沿わせるように配設し、複数枚の間仕切パネル１，１Ａによって、２種の間仕切パターンで室内空間を間仕切可能とした例を示している。
【００１７】
図２（ａ）では、室内空間を区画する隣接する壁体３，３の一方側（図示左側）の壁体３から端部間仕切パネル１Ａのパネル幅寸法を略隔てるようにして、この壁体３と略平行に五枚の間仕切パネル１を横並び状に配設した例を示している。また、これら五枚からなる間仕切パネルの集合体の一端を、一方側の壁体３から直交方向に配設された端部間仕切パネル１Ａに当接させ、他端を、他方側の壁体３に当接させて、平面視して略長方形状の空間を間仕切した例を示している。
図２（ｂ）では、それぞれの壁体３，３から直交方向に向けて三枚の間仕切パネル１（１Ａ）をそれぞれ横並び状に配設した例を示している。また、これら三枚からなる間仕切パネルの集合体の一端同士を略直角に突き合わせるようにして配設し、平面視して略正方形状の空間を間仕切した例を示している。
【００１８】
このように本実施形態に係る間仕切パネル１を備えた間仕切装置９によれば、室内空間に相異なる２つの小部屋を形成するように間仕切可能とし、これらを状況に応じて形成することで収納室や個室、会議室等として利用することができる。
また、上レールユニット８に、二本の上レール５０，５０を設けることで、複数枚の間仕切パネル１（１Ａ）を引き違い状に横並びに配設することができる。これによれば、例えば、いずれかの間仕切パネル１（１Ａ）をスライドさせることで、間仕切された空間（小部屋）の出入口として利用することができる。なお、このような態様に代えて、複数枚の間仕切パネル１（１Ａ）の側端面同士を突き合わせて横並びに配設し、いずれかの間仕切パネルに扉部等を設けた態様としてもよい。
【００１９】
なお、図２では、一方側の壁体３の上部側に構造体や配管等を受け入れるための段部を設け、この段部の形状に対応させて、端部間仕切パネル１Ａは、その上側一側部に切欠部を設けた例を示しているが、このような段部等を室内空間に設けない態様としてもよい。この場合は、端部間仕切パネル１Ａの切欠部は不要であり、このような端部間仕切パネル１Ａに代えて、本実施形態に係る間仕切パネル１を用いるようにすればよい。
また、上レールユニット８としては、三本のレール部材５，５，５を、Ｔ字路を形成するように接続するＴ字状部材を上記したコーナー部材６及び交差部材７の一方若しくは両方に代えて、または加えて備えたものとしてもよい。
【００２０】
また、上記した間仕切パターンは、一例であり、上レールユニット８の各部材５，６，７を適宜、組み合わせ、それに応じた枚数の間仕切パネル１（１Ａ）を配設することで種々の間仕切パターンを形成することができる。また、複数種の間仕切パターンの形成が可能な態様に代えて、または加えて、室内空間の一箇所において複数枚の間仕切パネル１（１Ａ）を厚さ方向に重ねるようにして集合乃至は収容させるような態様としてもよい。また、二本の上レール５０，５０を並列配置したレール部材５に限られず、単一または三本以上の上レールを備えたものとしてもよい。
【００２１】
次に、本実施形態に係る間仕切パネル１の具体的構成について説明する。
間仕切パネル１は、図１に示すように、略矩形平板状のパネル本体１０と、上端部１２に設けられ、上レール５０に沿ってガイドされる上ガイド部２０と、下端部１４に設けられたキャスター部４０とを備えている。また、当該間仕切パネル１の移動を伴い上レール５０に沿って移動する上ガイド部２０の移動方向と、キャスター部４０の転動輪４９の走行方向とが同方向となるように上ガイド部２０に連動させてキャスター部４０の転動輪４９の走行方向を規制する連動機構を備えている。
本実施形態では、当該間仕切パネル１のパネル幅方向の両側端部のそれぞれに上ガイド部２０，２０、連動機構及びキャスター部４０，４０を設けている。なお、図１（ｂ）、図３及び図５〜図７では、一方側の側端部及び該側端部に設けられた上ガイド部２０等を図示しているが、他方側の側端部も同様の構成である。
【００２２】
上ガイド部２０は、上レール５０に収容されるローラー部２１と、このローラー部２１を支持し、当該間仕切パネル１に対して天井２及び床４に略垂直な垂線廻り（水平面域方向）に回動自在とされた垂直軸２８とを備えている。
ローラー部２１は、垂直軸２８に固定的に連結されるとともに上レール５０に沿って移動する際に上レール５０の両側壁部５２，５２に規制されて垂直軸２８の回動を規制する規制部２２と、垂直軸２８廻りに回動自在とされたローラー２５，２６とを備えている。
垂直軸２８は、軸径が、図４に示すように、上レール５０の下端に幅方向に対向するように設けられた下案内片５３，５３間に形成されたスリット状の開口に納まる寸法とされている。また、垂直軸２８は、図３（ｃ）に示すように、上端側に、下端側よりも僅かに小径とされたローラー軸部２９を有しており、このローラー軸部２９の上端部には、規制部２２との連結部が設けられている。この連結部は、ローラー軸部２９の側周面の一部を軸方向に切除するようにして軸断面を略Ｄ字形状（Ｄカット形状）として形成された回動防止面２９ａと、ローラー軸部２９の上端面に軸方向に設けられたピン穴２９ｂとからなる。
【００２３】
規制部２２は、上記連動機構を構成し、図３及び図４に示すように、本実施形態では、上レール５０の両側壁部５２，５２にそれぞれ対面するように配置される両側面部２２ａ，２２ａを有したブロック状体の移動方向規制ブロック２２とされている。この移動方向規制ブロック２２は、上レール５０の長手方向に沿う方向の寸法が幅方向に沿う方向の寸法よりもやや大きい寸法とされた扁平略直方体形状とされている。また、この移動方向規制ブロック２２は、その両側面部２２ａ，２２ａが上レール５０の両側壁部５２，５２に当接して規制されることで、当該間仕切パネル１に対する垂直軸２８の回動を規制する。この移動方向規制ブロック２２の外郭形状は、図例のような扁平略直方体形状に限られず、上レール５０の両側壁部５２，５２に当接して規制されることで、当該間仕切パネル１に対する垂直軸２８の回動を規制し得る形状とすればよい。
また、この移動方向規制ブロック２２には、上レール５０の天壁部５１に当接されて水平軸２３廻りに回転する上端ローラー２４が設けられている。本実施形態では、移動方向規制ブロック２２に、上レール５０の幅方向に沿う方向に間隔を空けて複数（図例では、２つ）の上端ローラー２４，２４を設けている。
【００２４】
これら上端ローラー２４，２４は、図３（ｃ）に示すように、移動方向規制ブロック２２の両側面部２２ａ，２２ａの略中央部に上下に切り欠くように形成されたローラー凹所２２ｂ，２２ｂに収容されるようにして配設されている。これらローラー凹所２２ｂ，２２ｂには、当該移動方向規制ブロック２２を幅方向（上レール５０の幅方向と同方向）に貫通するように設けられた軸孔が設けられており、この軸孔には、天井２及び床４に略水平な水平軸２３が挿通されている。この水平軸２３の両端部に上端ローラー２４，２４がそれぞれ連結され、水平軸２３廻り（垂直面域方向）に回動自在に支持されている。これら上端ローラー２４，２４は、図１（ｂ）及び図３（ａ）、（ｂ）に示すように、移動方向規制ブロック２２の上面からローラー外周部の一部が僅かに突出するように配設されている。また、これら上端ローラー２４，２４は、図３（ａ）、（ｂ）及び図４に示すように、ローラー凹所２２ｂ，２２ｂに幅方向（水平軸２３の軸方向と同方向）の略全体が収容されるようにして配設されている。
【００２５】
移動方向規制ブロック２２の中央部には、当該移動方向規制ブロック２２を厚さ方向（上下方向）に貫通する垂直軸固定孔２２ｃが設けられている。この垂直軸固定孔２２ｃは、図３（ｃ）に示すように、上部側が抜止ピン２７を受け入れる形状とされ、下部側がローラー軸部２９の上端部に対応させた形状とされている。つまり、垂直軸固定孔２２ｃの下部側は、ローラー軸部２９の回動防止面２９ａに対応させて平面視略Ｄ字形状とされている。このような構成により、移動方向規制ブロック２２は、ローラー軸部２９に対して軸廻りに回動不能に固定的に連結される。また、移動方向規制ブロック２２は、ローラー軸部２９の回動防止面２９ａの下端の段部によって下方側に移動不能とされる。また、抜止ピン２７がローラー軸部２９の上端部のピン穴２９ｂに挿入（圧入乃至は捩じ込み）されて、当該移動方向規制ブロック２２の上方側への移動が不能とされる。なお、この移動方向規制ブロック２２を、ローラー軸部２９に対して軸廻りに回動不能に固定的に連結する態様としては、上記した例に限られない。例えば、キー溝とキーとによって回動不能としたり、雌ねじ部と雄ネジ部とによって回動不能としたりしてもよく、その他、種々の廻り止め手段や固定手段、締結手段の採用が可能である。
【００２６】
ローラー２５，２６は、垂直軸２８の軸方向に沿って移動方向規制ブロック２２に隣接して設けられており、本実施形態では、二つのローラー２５，２６を、移動方向規制ブロック２２の下側に隣接させて設けた例を示している。
これらローラー２５，２６（第１ローラー２５及び第２ローラー２６）は、図３（ｃ）に示すように、垂直軸２８のローラー軸部２９が挿通される軸孔２５ａ，２６ａをそれぞれに有した略円盤形状（略扁平円筒形状）とされている。また、これら第１ローラー２５及び第２ローラー２６は、ローラー軸部２９の軸方向に積み重ねられるように配設され、それぞれが垂直軸２８（ローラー軸部２９）廻り（水平面域方向）に回動自在とされている。
【００２７】
また、移動方向規制ブロック２２の直下に配設された図示上側の第１ローラー２５の上面側には、上方に向けて開口する収容凹所が設けられており、この収容凹所に移動方向規制ブロック２２の下面側に形成された円筒形状部位を受け入れる構造とされている。この第１ローラー２５は、上記のように抜止ピン２７によって抜け止めされた移動方向規制ブロック２２によって上方側への移動が不能とされている。
この第１ローラー２５の図示下側に配設された第２ローラー２６は、ローラー軸部２９の下端の垂直軸２８の大径部との段部によって下方側への移動が不能とされている。
【００２８】
これら第１ローラー２５及び第２ローラー２６の外径寸法は、図１（ｂ）、図３（ａ）及び図４に示すように、略同寸法で、また、移動方向規制ブロック２２の幅寸法よりも僅かに大きく、移動方向規制ブロック２２の長手寸法よりもやや小さい寸法とされている。これらローラー２５，２６の外径寸法は、図４に示すように、上レール５０の両側壁部５２，５２間の寸法に応じた寸法とされている。本実施形態では、これらローラー２５，２６の外径寸法を、これらローラー２５，２６の外周面が上レール５０の両側壁部５２，５２に僅かなクリアランスを隔てて近接対面するような寸法としている。また、図例では、第１ローラー２５の厚さ寸法（上下寸法）を、第２ローラー２６の厚さ寸法（上下寸法）よりも大きい寸法とした例を示しているが、これらを略同厚さ寸法としてもよい。
【００２９】
これら移動方向規制ブロック２２及びローラー２５，２６を備えたローラー部２１の上下寸法は、図１（ｂ）及び図４に示すように、上レール５０の天壁部５１と下案内片５３，５３との間の寸法に応じた寸法とされている。本実施形態では、ローラー部２１の上下寸法を、上端ローラー２４，２４が上レール５０の天壁部５１に当接した状態で、第２ローラー２６の下面が、上レール５０の下案内片５３，５３に、僅かなクリアランスを隔てて近接対面するような寸法としている。
なお、このローラー部２１の移動方向規制ブロック２２及び各ローラー２４，２４，２５，２６は、耐摩耗性や摺動性に比較的に優れた金属系材料や硬質の合成樹脂系材料から形成されたものとしてもよい。
【００３０】
また、上ガイド部２０の上端ローラー２４，２４は、当該間仕切パネル１に対して上下方向に移動自在とされるとともに付勢部材３０によって上方に向けて付勢されている。本実施形態では、付勢部材３０は、図３（ｂ）、（ｃ）に示すように、垂直軸２８の下端側に連結された圧縮コイルばね３０とされている。上ガイド部２０は、この圧縮コイルばね３０を収容するばねケース３１と、このばねケース３１を垂線（垂直軸２８）廻りに回動自在に支持し、当該間仕切パネル１に固定される固定部としての固定ブラケット３３とを備えている。
ばねケース３１は、図３に示すように、垂直軸２８の下側部位を受け入れるとともに圧縮コイルばね３０を収容する収容凹所３２を有した略円筒形状とされており、垂直軸２８の上下方向の移動をガイドするとともに垂直軸２８を回動不能に保持する構造とされている。
【００３１】
ばねケース３１の収容凹所３２は、上方に向けて開口し、下端が凹所底部３２ｂで閉塞された略円柱状の中空とされている。また、収容凹所３２の上端側部位の内周面には、該上端側部位を狭めるように形成された一対の軸把持面部３２ａ，３２ａが対向するように設けられている。垂直軸２８の外周面には、これら一対の軸把持面部３２ａ，３２ａに対応させた上記同様の回動防止面２８ａ，２８ａが設けられている。この垂直軸２８の回動防止面２８ａ，２８ａが収容凹所３２の軸把持面部３２ａ，３２ａに当接されて垂直軸２８が回動不能にばねケース３１に保持される。また、収容凹所３２の軸把持面部３２ａ，３２ａの下端の段差面に、垂直軸２８の回動防止面２８ａ，２８ａの下端の段差面が当接することで、当該垂直軸２８の上方側への移動が不能とされる。
【００３２】
また、垂直軸２８の下端部には、小径状とされたばね連結突起部が設けられており、このばね連結突起部に圧縮コイルばね３０の上端が挿入されて連結され、圧縮コイルばね３０の垂直軸２８に対する上方側への移動が不能とされる。また、圧縮コイルばね３０の下端は、収容凹所３２の凹所底部３２ｂに当接して下方側への移動が不能とされる。
このような構成により、垂直軸２８は、ばねケース３１内に収容された圧縮コイルばね３０によって上方に向けて付勢され、かつ、ばねケース３１によって上下方向の移動がガイドされるとともに軸廻りに回動不能に保持される。
また、ばねケース３１の上端部には、鍔状部が形成され、また、ばねケース３１の下端側には、側周面の一部を軸方向に切除するようにして横断面を略Ｄ字形状（Ｄカット形状）として形成された連結係合面３１ａが設けられている。この連結係合面３１ａには、上記連動機構を構成する連結部材３５が係合する。なお、連結部材３５の具体的構成については、後述する。
【００３３】
このばねケース３１の収容凹所３２の深さ寸法（上下寸法）は、圧縮コイルばね３０の収容が可能で、垂直軸２８を上下方向へ移動自在とし、その一部を受け入れ可能な寸法とすればよい。また、この深さ寸法は、垂直軸２８を上方付勢する圧縮コイルばね３０の寸法等や垂直軸２８の所望する上下方向への移動寸法等に応じて適宜、設定するようにしてもよい。この垂直軸２８の上下方向への移動寸法は、当該上ガイド部２０によってなされる、後述する天井２や床４等の不陸を吸収し得る寸法としてもよい。
また、ばねケース３１は、図３（ｂ）、（ｃ）に示すように、二分割とされており、図３（ｂ）では、その一方側の図示を省略している。また、ばねケース３１は、金属系材料や硬質の合成樹脂系材料から形成されたものとしてもよい。
【００３４】
固定ブラケット３３は、図３に示すように、パネル本体１０の側端面１１の上端部に固定される固定片部３３ａと、この固定片部３３ａの上端からパネル幅方向外方側に向けて突出するように設けられたケース保持片部３３ｂとを備えている（図１（ｂ）及び図４も参照）。
ケース保持片部３３ｂには、厚さ方向（上下方向）に貫通し、ばねケース３１を垂直軸２８廻りに回動自在に受け入れるケース保持孔３４が設けられている。ばねケース３１は、このケース保持孔３４に挿通され、上端部の鍔状部がケース保持片部３３ｂに係止して当該固定ブラケット３３に対して垂直軸２８廻りに回動自在に保持される。このような構成により、ばねケース３１、これにガイドされる垂直軸２８及び垂直軸２８に固定的に設けられた移動方向規制ブロック２２は、間仕切パネル１に対して垂線（垂直軸２８）廻りに回動自在に支持される。
【００３５】
上記構成とされた上ガイド部２０を備えた間仕切パネル１は、図１（ｂ）及び図４に示すように、上レール５０にローラー部２１が収容され、当該間仕切パネル１の立設状態の維持がなされる。また、図２を参照して説明した上レールユニット８のコーナー部材６や交差部材７等の部位において当該間仕切パネル１の方向転換がなされる際には、ローラー部２１がコーナー部材６や交差部材７内を移動し、上端部１２側の外れが抑制される。
また、上記構成とされた上ガイド部２０を備えた間仕切パネル１によれば、以下のように、後記する下側のキャスター部４０の走行対象や天井２側の上レール５０に不陸等があるような場合にも対応可能で、スムーズな移動が可能となる。
【００３６】
図１（ｂ）及び図４（ａ）では、当該間仕切パネル１が設置される床４から天井２までの高さ寸法が標準寸法（例えば望ましい寸法）とされた標準状態を図示している。この状態では、パネル本体１０の上端面と上レール５０の下案内片５３，５３の下面とが適度な間隔を隔てて対面するように配置される。また、ばねケース３１からの垂直軸２８の突出寸法は、最大限の突出寸法と最小限の突出寸法との略中間程度の寸法とされている。
図４（ｂ）では、上記標準状態よりも床４から天井２までの高さ寸法が大きい寸法とされた状態を図示している。この状態では、パネル本体１０の上端面と上レール５０の下案内片５３，５３の下面とが上記標準状態よりも大きな間隔を隔てて対面するように配置される。また、ばねケース３１からの垂直軸２８の突出寸法が、上記標準状態よりも大きい突出寸法となり、最大限の突出寸法に比較的に近い寸法とされている。
図４（ｃ）では、上記標準状態よりも床４から天井２までの高さ寸法が小さい寸法とされた状態を図示している。この状態では、パネル本体１０の上端面と上レール５０の下案内片５３，５３の下面とが上記標準状態よりも小さな間隔を隔てて近接対面するように配置される。また、ばねケース３１からの垂直軸２８の突出寸法が、上記標準状態よりも小さい突出寸法となり、最小限の突出寸法に比較的に近い寸法とされている。
【００３７】
上記いずれの場合においても、圧縮コイルばね３０による垂直軸２８の上方付勢によりローラー部２１は、上方に向けて付勢されている。従って、不陸等によって上記のように床４から天井２までの高さ寸法に違いがある場合にも上端ローラー２４，２４を有したローラー部２１が上レール５０から外れるようなことを抑制でき、上端ローラー２４，２４を上レール５０の天壁部５１に当接させることができる。
また、当該間仕切パネル１の移動がなされる際には、上端ローラー２４，２４が天壁部５１に当接されて水平軸２３廻りに回転する。従って、上方に向けて付勢されて上レール５０の天壁部５１に対して押し付け状態ではあるものの天壁部５１と当該上ガイド部２０との摩擦抵抗が極めて小さくなり、スムーズな移動が可能となる。
【００３８】
また、本実施形態では、上端ローラー２４，２４を、上レール５０の幅方向に沿う方向に間隔を空けて複数設けている。従って、当該間仕切パネル１の移動がなされる際に、これら複数の上端ローラー２４，２４が上レール５０の天壁部５１に押し付け状態で回転することとなるため、当該間仕切パネル１をより安定的かつスムーズに移動させることができる。
さらに、本実施形態では、移動方向規制ブロック２２に上端ローラー２４，２４を設けている。従って、当該間仕切パネル１がパネル幅方向に沿って移動する際には、上レール５０の両側壁部５２，５２による規制を受けて、移動方向規制ブロック２２の垂直軸２８廻りの回動が抑制される。この結果、この移動方向規制ブロック２２に配設された上端ローラー２４，２４の斜行が抑制され、よりスムーズな移動が可能となる。
一方、当該間仕切パネル１の方向転換がなされる際には、移動方向規制ブロック２２が当該間仕切パネル１に対して垂直軸２８廻りに回動自在とされている。従って、この移動方向規制ブロック２２が垂直軸２８廻りに回動されることで、上端ローラー２４，２４の走行方向の変更がなされ、スムーズな移動が可能となる。なお、移動方向規制ブロック２２の垂直軸２８廻りの回動態様については後述する。
【００３９】
さらにまた、本実施形態では、付勢部材としての圧縮コイルばね３０を垂直軸２８の下端側に連結し、上ガイド部２０を、上記構成とされたばねケース３１及び固定ブラケット３３を備えたものとしている。つまり、上端ローラー２４，２４を上方に向けて付勢する圧縮コイルばね３０を、移動方向規制ブロック２２に固定的に連結された垂直軸２８の下端側に連結している。従って、本実施形態のように上端ローラー２４，２４を複数設けるような場合にも個別に付勢部材を設ける必要がなく、簡易な構造とすることができる。また、ばねケース３１によって垂直軸２８を上下方向にガイドし、垂直軸２８を回動不能に保持することができ、簡易な構造とできる。
また、圧縮コイルばね３０を収容するばねケース３１自体を間仕切パネル１に対して垂直軸２８廻りに回動自在とすることで、例えば、付勢部材の一端を間仕切パネル側に固定的に連結するようなものと比べて、付勢部材の劣化や異音の発生等を抑制することができる。
【００４０】
また、本実施形態では、上ガイド部２０に垂直軸２８廻りに回動自在とされたローラー２５，２６を設けている。従って、間仕切パネル１の移動がなされる際には、これらローラー２５，２６が上レール５０の側壁部５２に当接されて回転し、当該間仕切パネル１の上端部１２側のガイドがスムーズになされる。
また、本実施形態では、これらローラー２５，２６を、垂直軸２８方向に沿って移動方向規制ブロック２２に隣接させて設けている。従って、スムーズなガイドが可能でありながらも移動方向規制ブロック２２及びその下側のローラー２５，２６を一軸的に設けることでコンパクト化を図ることができる。
【００４１】
ところで、このように間仕切パネル１を移動させる際に、当該間仕切パネル１が天井２及び床４に対して垂直に維持された状態であれば、ローラー部２１の各ローラー２５，２６が上レール５０の一方の側壁部５２に当接し、互いに同方向に回転する。当該間仕切パネル１は、後記するキャスター部４０のガイドが床４側にはなく、また、キャスター部４０が間仕切パネル１に対して垂線廻りに回動自在である。そのため、当該間仕切パネル１を移動させる際に下端部１４側が厚さ方向に振れる下振れ（傾斜）が生じ易くなることが考えられる。
本実施形態に係る間仕切パネル１によれば、以下のように、このような下振れの低減が可能でありながらも、スムーズな移動が可能となる。
【００４２】
つまり、上ガイド部２０の各ローラー２５，２６の外周面が、上レール５０の両側壁部５２，５２に僅かなクリアランスを隔てて近接対面する構造としているので、これらローラー２５，２６が上レール５０の両側壁部５２，５２によって規制される。これにより、間仕切パネル１の下振れを低減させることができる。また、例えば、単一のローラーを設けた上ガイド部とした場合において間仕切パネルに僅かな下振れが生じた場合には、該ローラーの外周上縁部及び外周下縁部のそれぞれが上レール５０の相異なる側の側壁部５２，５２にそれぞれ当接することが考えられる。このような状態で間仕切パネルを移動させれば、一方の当接箇所の回転しようとする方向と他方の当接箇所の回転しようとする方向とが異なる方向となり、互いに摩擦抵抗（回転抵抗）となってスムーズな移動が妨げられることとなる。本実施形態によれば、このような摩擦抵抗を飛躍的に緩和させることができる。つまりは、間仕切パネル１が傾斜した場合にも上下に分離したローラー２５，２６のそれぞれが上レール５０の相異なる側壁部５２，５２に当接されて相異なる方向に回転するため、上記のような摩擦抵抗を飛躍的に緩和させることでき、スムーズな移動が可能となる。
【００４３】
次に、キャスター部４０及び連結部材３５の具体的構成について説明する。
キャスター部４０は、パネル本体１０に対して床４に略垂直な垂線廻り（水平面域方向）に回動自在に設けられるとともに、床４上を転動する転動輪（車輪）４９を備えている。
本実施形態では、キャスター部４０は、図１（ｂ）、図４及び図５に示すように、パネル本体１０に固定される固定部としての固定ブラケット４１と、転動輪４９を回動自在に支持する支持部としての転動輪ブラケット４６とを備えている。これら固定ブラケット４１と転動輪ブラケット４６とは、固定ブラケット４１に対して上記垂線廻りに転動輪ブラケット４６を回動自在に連結する垂直軸４３によって連結されている。この垂直軸４３は、上記した上ガイド部２０の垂直軸２８と同軸状に設けられている。
【００４４】
固定ブラケット４１は、上記した上ガイド部２０の固定ブラケット３３を上下反転させたような形状とされ、パネル本体１０の側端面１１の下端部に固定される固定片部４１ａと、この固定片部４１ａの下端からパネル幅方向外方側に向けて突出するように設けられた軸受片部４１ｂとを備えている。
軸受片部４１ｂには、垂直軸４３が挿通される挿通孔が厚さ方向（上下方向）に貫通して設けられるとともに、垂直軸４３を回動自在に支持する軸受部４２が上面側に固定的に設けられている。
【００４５】
転動輪ブラケット４６は、図４に示すように、転動輪４９を受け入れる空間を形成するように下方に向けて開口した形状とされ、床４に略水平な方向に架け渡された水平軸４８を有し、この水平軸４８廻りに回動自在に転動輪４９を支持した構造とされている。本実施形態では、図４及び図５に示すように、水平軸４８の軸方向に沿って複数の転動輪４９を水平軸４８廻りに回動自在に設けており、図例では、二つの転動輪４９，４９を、軸受部４７を挟むように水平軸４８に設けた例を示している。また、本実施形態では、この水平軸４８の軸心と、当該キャスター部４０の垂直軸４３の軸心とを垂線方向で略一致するように設けている。
【００４６】
また、転動輪ブラケット４６の上面側には、軸受取付部４５が固定的に設けられている。この軸受取付部４５には、垂直軸４３が挿通され、垂直軸４３を回動自在に支持する軸受部４４が設けられている。この軸受部４４は、本実施形態では、スラスト玉軸受とされている。これにより転動輪ブラケット４６は、当該転動輪ブラケット４６乃至は軸受取付部４５に対して固定的に連結された垂直軸４３廻りに固定ブラケット４１に対してスムーズに回動する。
このような構成により、垂直軸４３及び転動輪ブラケット４６は、固定ブラケット４１、つまりは当該間仕切パネル１に対して、垂直軸４３廻りに回動自在とされる。
また、垂直軸４３の上側部位には、図１に示すように、上記したばねケース３１と同様、側周面の一部を軸方向に切除するようにして横断面を略Ｄ字形状（Ｄカット形状）として形成された連結係合面４３ａが設けられている。この連結係合面４３ａには、連動機構を構成する連結部材３５が係合する。
【００４７】
連結部材３５は、図５に示すように、上下に長尺状とされ、上ガイド部２０の垂直軸２８とキャスター部４０の垂直軸４３とを連結する構造とされている。
本実施形態では、連結部材３５は、上ガイド部２０に連結される上側連結部材３６と、キャスター部４０に連結される下側連結部材３９と、これら上下の連結部材３６，３９を連結する上下に長尺棒状の連結ロッド３７とを備えている。
この連結部材３５は、上記のようにパネル本体１０の側端面１１に固定された上ガイド部２０及びキャスター部４０の各固定ブラケット３３，４１間に延びるように設けられ、パネル本体１０の側端面１１に沿うようにして設けられている。
【００４８】
上側連結部材３６は、図１（ａ）及び図５に示すように、上下に開口する略円筒形状とされており、上側開口から上ガイド部２０のばねケース３１の下側部位を受け入れ、下側開口から連結ロッド３７の上端部を受け入れる構造とされている。この上側連結部材３６の上端側の内周面には、上ガイド部２０のばねケース３１の連結係合面３１ａに係合する係合面が形成されている。この上側連結部材３６とばねケース３１及び連結ロッド３７とは固定的に連結されている。このような構成により、当該連結部材３５を垂直軸２８廻りに回動させれば、上ガイド部２０のばねケース３１、これに回動不能に保持された垂直軸２８及びこの垂直軸２８に固定的に設けられた移動方向規制ブロック２２が垂直軸２８廻りに回動する。
【００４９】
下側連結部材３９は、上側連結部材３６を上下反転させたような形状とされ、上記同様、上下に開口する略円筒形状とされており、上側開口から連結ロッド３７の下端部を受け入れ、下側開口からキャスター部４０の垂直軸４３を受け入れる構造とされている。この下側連結部材３９の下端側の内周面には、キャスター部４０の垂直軸４３の連結係合面４３ａに係合する係合面が形成されている。この下側連結部材３９と連結ロッド３７及びキャスター部４０の垂直軸４３とは固定的に連結されている。このような構成により、当該連結部材３５を垂直軸４３廻りに回動させれば、キャスター部４０の垂直軸４３に固定的に連結された転動輪ブラケット４６が垂直軸４３廻りに回動する。
【００５０】
連結ロッド３７は、本実施形態では、角柱形状とされており、この連結ロッド３７の長手方向途中位置には、図５に示すように、間仕切パネル１の表面側に露出するように操作部３８が固定的に設けられている（図１（ａ）も参照）。この操作部３８を操作することで、連結ロッド３７が当該間仕切パネル１に対して垂直軸２８，４３廻りに回動し、また、上ガイド部２０及びキャスター部４０の両垂直軸２８，４３が当該間仕切パネル１に対して軸廻りに回動する。
パネル本体１０のパネル幅方向両側端部には、図５〜図７に示すように、操作部３８を受け入れ、この操作部３８の回動操作を許容する切欠部１３が設けられている。
また、パネル本体１０の両側端部には、図１（ａ）に示すように、側端面１１に沿うように設けられた連結部材３５、上ガイド部２０のばねケース３１及び固定ブラケット３３並びにキャスター部４０の固定ブラケット４１を覆う端部カバー１５，１５が取り付けられている。また、パネル本体１０の両側端部の操作部３８，３８が設けられた部位には、これら操作部３８，３８のそれぞれの周囲を囲むように操作部カバー１６，１６が取り付けられている。
【００５１】
上記のような連動機構２２，３５を備えた間仕切パネル１は、以下のように、上ガイド部２０の移動方向と、キャスター部４０の転動輪４９の走行方向とが同方向となるように上ガイド部２０に連動させてキャスター部４０の転動輪４９の走行方向の規制がなされる。
【００５２】
図５では、間仕切パネル１がパネル幅方向に沿う方向に移動し、上ガイド部２０の移動方向がパネル幅方向に沿う方向とされた状態を示している。つまり、本実施形態のように水平軸２３廻りに回動する上端ローラー２４を備えたものでは、この上端ローラー２４の走行方向がパネル幅方向に沿う方向とされた状態を示している。
この状態では、連結部材３５を介して上ガイド部２０に連結されたキャスター部４０の転動輪４９，４９の走行方向もパネル幅方向に沿う方向に規制される。
つまり、当該間仕切パネル１がパネル幅方向に沿って移動する際には、移動方向規制ブロック２２の両側面部２２ａ，２２ａが上レール５０の両側壁部５２，５２による規制を受けて、上端ローラー２４の走行方向がパネル幅方向に沿う方向となるように維持される。また、これにより、上ガイド部２０の垂直軸２８の回動が抑制され、この垂直軸２８に連結部材３５を介して連結されたキャスター部４０の垂直軸４３の回動が抑制され、転動輪４９，４９の走行方向がパネル幅方向に沿う方向となるように維持される。
この結果、当該間仕切パネル１をパネル幅方向に沿う方向に移動させる際に、キャスター部４０の転動輪４９，４９が斜行し難くなり、当該間仕切パネル１の下振れ等を抑制でき、スムーズな移動が可能となる。
【００５３】
図６では、連結部材３５の操作部３８を回動操作して、当該間仕切パネル１の一側端部（図例では左側端部）に設けられた上ガイド部２０の移動方向を当該間仕切パネル１のパネル幅方向に対して斜め奥側方向とした状態を示している。
一方、図７では、連結部材３５の操作部３８を回動操作して、当該間仕切パネル１の左側端部に設けられた上ガイド部２０の移動方向を当該間仕切パネル１のパネル幅方向に対して斜め手前側方向とした状態を示している。
これらいずれの場合においても、操作部３８を回動操作させることで、上ガイド部２０の移動方向規制ブロック２２が垂直軸２８廻りに回動し、上端ローラー２４の走行方向が所望する方向（斜め奥側方向、斜め手前側方向）となるように変更され、維持される。また、この上ガイド部２０に連動して、上ガイド部２０の移動方向と同方向となるように、キャスター部４０の転動輪４９，４９の走行方向が所望する方向（斜め奥側方向、斜め手前側方向）となるように変更され、維持される。
【００５４】
このような連動機構２２，３５を備えた間仕切パネル１によれば、図８に示すように、交差部材７が設けられた部位（コーナー部）において当該間仕切パネル１の方向転換がなされる際にもスムーズな移動が可能となる。つまり、移動方向前側端部に設けられた操作部３８を回動操作させながら移動方向前側の上ガイド部２０を上レール５０及び交差部材７に沿わせてカーブさせるように移動させる。これにより、キャスター部４０の転動輪４９，４９の走行方向も上ガイド部２０に連動して走行方向の変更がスムーズになされる。また、移動方向後側の上ガイド部２０が、交差部材７が設けられた部位に至れば、上記同様、移動方向後側端部に設けられた操作部３８を回動操作させながら移動方向後側の上ガイド部２０を上レール５０及び交差部材７に沿わせてカーブさせるように移動させる。これにより、上記同様、キャスター部４０の転動輪４９，４９の走行方向も上ガイド部２０に連動して走行方向の変更がスムーズになされる。
つまりは、上ガイド部２０の移動に連動してキャスター部４０の転動輪４９，４９がコーナー部においてカーブを描くように走行することとなり、当該間仕切パネル１をスムーズに方向転換させることができる。
【００５５】
なお、コーナー部材６が設けられた部位やＴ字状部材が設けられた部位において当該間仕切パネル１の方向転換を行う際にも上記同様に方向転換を行うことができる。
また、図例では、二本の上レール５０を並列配置し、交差部材７が設けられた部位で計８本の上レール５０を合流させるようなものとしている。このような交差部材７が設けられた部位において方向転換をする際には、交差部材７を介して所望する上レール５０に向けて上ガイド部２０が移動するように操作するようにすればよい。
【００５６】
本実施形態に係る間仕切パネル１によれば、上記のように、床４上を走行自在とされたキャスター部４０を下端部１４側に設けているので、当該間仕切パネル１の荷重をキャスター部４０で受けることができる。従って、上レール５０を強固に天井２側に固定する必要性が低減され、天井２側に取付下地を設けたり、補強工事等をしたりする必要性が低減され、例えば、当該間仕切パネル１の上端部１２側をガイドさせる上レール５０を直付け的に天井２に設置することもできる。
また、下端部１４側がキャスター部４０によって床４上を走行自在とされているため、床４側にガイドレール等を敷設する必要がなく、床面に段差等が形成されず、設置対象を簡易な構造とできる。また、比較的に容易に当該間仕切パネル１を方向転換させることができる。
【００５７】
さらに、本実施形態では、連動機構を、上ガイド部２０の垂直軸２８に固定的に連結された規制部（移動方向規制ブロック）２２と、上ガイド部２０の垂直軸２８とキャスター部４０の垂直軸４３とを連結する連結部材３５とを備えた構造としている。従って、上ガイド部２０の垂直軸２８が、移動方向規制ブロック２２によって上レール２０の両側壁部５２，５２の規制を受けて回動が規制され、また、連結部材３５を介して連結されたキャスター部４０の垂直軸４３の回動が連動して規制される。これにより、キャスター部４０の垂直軸４３廻りの回動と上ガイド部２０の垂直軸２８廻りの回動とを簡易な構造で連動させることができ、上ガイド部２０に連動させてキャスター部４０の転動輪４９，４９の走行方向を規制する連動機構を簡易な構造とできる。
【００５８】
さらにまた、本実施形態では、キャスター部４０の転動輪４９，４９の水平軸４８の軸心と、キャスター部４０の垂直軸４３の軸心とを、垂線方向で略一致するように設けている。従って、当該間仕切パネル１の方向転換がなされる際に、上ガイド部２０の垂直軸２８に連動して回転されるキャスター部４０の垂直軸４３を比較的にスムーズかつ応答性良く回転させることができる。なお、このような態様に代えて、キャスター部４０の垂直軸４３の軸心と転動輪４９，４９の水平軸４８の軸心とを偏心状に設けるようにしてもよい。
また、本実施形態では、キャスター部４０に水平軸４８方向に間隔を空けて二つの転動輪４９，４９を設けた双輪構造としている。従って、当該間仕切パネル１の移動時における安定性を向上させることができるとともに、垂直軸４３廻りの転動輪ブラケット４６の回動がよりスムーズになされる。
【００５９】
また、本実施形態では、連動機構２２，３５に、連結部材３５の上下の途中位置において当該間仕切パネル１の表面側に露出するように設けられ、上ガイド部２０及びキャスター部４０の両垂直軸２８，４３を軸廻りに回転させる操作部３８を設けている。従って、操作部３８を操作することで、連結部材３５を介して上ガイド部２０及びキャスター部４０を所望の方向に回転させることができる。なお、このような操作部３８を設けない態様としてもよい。この場合は、上ガイド部２０の移動方向規制ブロック２２が上レール５０の両側壁部５２，５２による規制を受けてカーブを描くように移動方向の変更、つまりは、垂直軸２８の回動がなされるよう、上レール５０のコーナー部にガイドを設けるようにしてもよい。つまりは、手動操作によって上ガイド部２０の垂直軸２８を回動させる態様に代えて、上レール５０によるガイド作用によって上ガイド部２０が垂直軸２８廻りに回動される態様としてもよい。
【００６０】
さらに、本実施形態では、上ガイド部２０、連動機構２２，３５及びキャスター部４０を、当該間仕切パネル１の幅方向両側端部のそれぞれに設けている。従って、間仕切パネル１を安定的に移動させることができる。また、移動方向前側及び移動方向後側となる幅方向両側端部のそれぞれにこれらを設けることで、間仕切パネル１を方向転換させる際における操作性を比較的に向上させることができる。
【００６１】
なお、本実施形態では、上ガイド部２０の垂直軸２８を受け入れるばねケース３１を設け、このばねケース３１に圧縮コイルばね３０を収容させ、このばねケース３１自体を当該間仕切パネル１に対して回動自在とした例を示しているが、このような態様に限られない。上ガイド部２０のローラー部２１を上方に向けて付勢するばね部材等からなる付勢部材の一端をパネル本体１０に連結したような態様としてもよい。または、ローラー部２１の上端ローラー２４を上方に向けて付勢する付勢部材を移動方向規制ブロック２２に設けるような態様としてもよい。
【００６２】
さらに、本実施形態では、上ガイド部２０のローラー部２１を当該間仕切パネル１に対して上下方向に移動自在とするとともに上方に向けて付勢した構造としているが、このような態様に限られない。例えば、ローラー部２１を上方に向けて付勢する態様に代えて、下方に向けて付勢する態様としてもよく、または単に上下方向に移動自在としたものとしてもよい。さらには、このような態様に代えて、ローラー部２１を上下方向に移動不能としたものとしてもよい。この場合は、上ガイド部２０の垂直軸２８に直接的に連結部材３５を連結するようにしてもよい。また、この場合は、上レール５０の天壁部５１乃至は下案内片５３とローラー部２１とのクリアランスを比較的に大きくするようにしてもよく、さらには、天壁部５１乃至は下案内片５３を上レール５０に設けないようにしてもよい。
【００６３】
また、本実施形態では、上ガイド部２０の移動方向規制ブロック２２に、幅方向に間隔を空けて複数の上端ローラー２４，２４を設けた例を示しているが、単一の上端ローラー２４を設けた態様としてもよい。さらには、このような上端ローラー２４を移動方向規制ブロック２２に設けないようにしてもよい。この場合は、上記同様、上レール５０の天壁部５１とローラー部２１とのクリアランスを比較的に大きくするようにしてもよい。
【００６４】
さらに、本実施形態では、移動方向規制ブロック２２に隣接させて、その下側に垂直軸２８廻りに回動自在とされた二つのローラー２５，２６を設けた上ガイド部２０を例示しているが、三つ以上のローラーを設けた態様としてもよい。
さらにまた、本実施形態では、当該間仕切パネル１が下荷重構造で各ローラー２５，２６にはローラーの自重程度が負荷されるものであるので、隣接する各ローラー同士が当接乃至は摺接するものとしているが、このような態様に限られない。例えば、隣接する各ローラー同士が当接しないように各ローラーの軸受部等を垂直軸２８（ローラー軸部２９）に設けた構造としてもよい。
また、本実施形態では、これらローラー２５，２６を移動方向規制ブロック２２の下側に設けた例を示しているが、移動方向規制ブロック２２の上側に設けるようにしてもよく、移動方向規制ブロック２２の上下のそれぞれに設けるようにしてもよい。この場合は、上記同様、上端ローラー２４を設けないようにすればよい。さらには、このような垂直軸２８廻りに回動自在とされたローラー２５，２６を設けない態様としてもよい。つまりは、上レール５０に収容されてガイドされる移動方向規制ブロック２２のみを有したものとしてもよい。
【００６５】
さらに、本実施形態では、上ガイド部２０の垂直軸２８に固定的に連結された規制部２２と、上ガイド部２０の垂直軸２８とキャスター部４０の垂直軸４３とを連結する連結部材３５とを備えた連動機構を例示しているが、このような態様に限られない。上記のように上ガイド部２０の移動方向と、キャスター部４０の転動輪４９の走行方向とが同方向となるように上ガイド部２０に連動させてキャスター部４０の転動輪４９の走行方向を規制するものであればどのような構造とされたものでもよい。
【００６６】
また、キャスター部４０としては、上記した例に限られず、床４上を転動する転動輪４９を、間仕切パネル１に対して垂直軸４３廻りに回動自在に設けた構造のものであればどのようなものでもよい。
さらに、転動輪４９の水平軸４８廻りの回動を防止乃至は抑制するストッパーを設けたキャスター部を採用するようにしてもよい。または、このようなストッパーをキャスター部４０に設ける態様に代えて、パネル本体１０に当該間仕切パネル１の下端側の移動を防止乃至は抑制するストッパーを設けた態様としてもよい。
さらにまた、本実施形態では、複数の転動輪４９，４９を備えたキャスター部４０を例示しているが、単一の転動輪４９を備えたものとしてもよい。
【００６７】
また、本実施形態では、略矩形平板状とされた間仕切パネル１を例示しているが、上述のように一側端部に切欠部等を有したものとしてもよい。この場合において、上記のような連動機構を設ける場合には、パネル幅方向内側の切欠部が設けられていない部位に設けるようにしてもよい。
さらに、パネル本体１０の下端面と床４との間の隙間を遮蔽する遮蔽部材等をパネル本体１０に対して上下動自在に設けたり、各間仕切パネル１の側端部同士を連結する連結部材等を設けたりしてもよい。
【符号の説明】
【００６８】
１        間仕切パネル
２        天井
４        床
１２      上端部
１４      下端部
２０      上ガイド部
２２      移動方向規制ブロック（規制部、連動機構）
２２ａ    側面部
２５      第１ローラー（ローラー）
２６      第２ローラー（ローラー）
２８      垂直軸
３５      連結部材（連動機構）
３８      操作部
４０      キャスター部
４３      垂直軸
４６      転動輪ブラケット（支持部）
４８      水平軸
４９      転動輪
５０      上レール
５２      側壁部
【図１】
2013002259.tif 000003
【図２】
2013002259.tif 000004
【図３】
2013002259.tif 000005
【図４】
2013002259.tif 000006
【図５】
2013002259.tif 000007
【図６】
2013002259.tif 000008
【図７】
2013002259.tif 000009
【図８】
2013002259.tif 000010